(57)【特許請求の範囲】
【請求項１】
擁壁用ブロックと裏型枠間を一定間隔にセパレータにより保持してセパレータ先端部のインサートを擁壁用ブロックのインサート孔に挿入固着し、セパレータ他端を裏型枠に挿着してナットによりねじ締めして連結する方法において、長尺鉄棒を該一定間隔の長さとした剛体パイプに挿通してセパレータとし、該剛体パイプにより擁壁用ブロックと裏型枠間の間隔を規制するとともに長尺鉄棒にテンションを掛けるようにナットにより強くねじ締めして、クレーンで吊り上げ据えつけるための擁壁用ブロックと裏型枠からなる仮組立体を、剛性を持たせて組立てる擁壁用ブロックと裏型枠の連結方法。
【請求項２】
剛体パイプの擁壁用ブロック側の一端は擁壁用ブロックに沿う角度に形成するとともに裏型枠側の他端は裏型枠に沿う角度に形成したことを特徴とする請求項１記載の擁壁用ブロックと裏型枠の連結方法。
【請求項３】
擁壁用ブロックおよび裏型枠と剛体パイプ端間に補強プレートを挿着して連結したことを特徴とする請求項１または２に記載の擁壁用ブロックと裏型枠の連結方法。
【請求項４】
裏型枠の裏面から突出した長尺鉄棒に一端を裏型枠の裏面に沿う角度に形成し他端を長尺鉄棒軸方向に垂直に形成してなる変形ワッシャーを該垂直他端を後方にして外挿し、さらに変形ワッシャー後面よりワッシャーを嵌めナットによりねじ締めすることを特徴とする請求項１〜３のいずれか１項に記載の擁壁用ブロックと裏型枠の連結方法。
【発明の詳細な説明】
【０００１】
【発明の属する技術分野】
本発明は、スピード土留めプレハブ工法に使用する、クレーンで吊り上げ据えつけるための擁壁用ブロックと裏型枠からなる仮組立体を、剛性を持たせて組立てる擁壁用ブロックと裏型枠の連結方法に関する。
【０００２】
【従来の技術】
従来、道路側壁あるいは河川の堤防などの擁壁を施工する擁壁用ブロックおよび同擁壁用ブロックを用いるスピード土留めプレハブ工法は、擁壁用ブロックの後壁からスペーサーであるセパレータを後方に延ばして裏型枠に係止する方法があり、例えば出願人の発明である特許第３１９７８４８号がある。これは、上部が後方に傾斜した方形版状の前壁版と、前壁版後面の左右から後方に突出する扶壁と、左右扶壁の後端下部間に連結した補強梁から形成し、左右の扶壁の後端面にセパレータの先端部であるインサートを挿着するためのインサート埋設用の複数の小孔を設けた擁壁用ブロックを準備する。次に、この擁壁用ブロックを法面の前方に積載し、法面と擁壁用ブロック間に裏型枠を設置し、擁壁用ブロック及び擁壁用と裏型枠間にコンクリートを打設すると共に裏型枠の裏面の法面側に採石を充填する。
【０００３】
この場合、予め仮置き場にて、上記擁壁用ブロックの扶壁のインサート埋設用の小孔にセパレータ先端部であるインサートを埋設してコンクリートで固定し、この固定したインサートによりセパレータで擁壁用ブロックと裏型枠を連結して仮組立体とする。この仮組立体を法面の前方に裏込砕石投入用空間を設けて据え付け、コンクリートを擁壁用ブロック内及び擁壁用ブロックと裏型枠間に打設して裏型枠を脱型することなく擁壁用ブロックと裏型枠を一体化し、裏型枠と法面間に砕石を投入して裏込めして擁壁を積み上げ、これを上段に繰り返して擁壁としている。
【０００４】
ところで上記の発明における擁壁用ブロックは前壁版後面から後方に延びる左右の扶壁を有し、その左右の扶壁の後端面にセパレータで連結するためのインサート埋設用の小孔を設けている。しかし、他の擁壁用ブロックとして上記の様な扶壁の後端にさらに前壁版と平行な後壁版を設け、この後壁版の後面にインサート埋設用の小孔を設け、擁壁用ブロックと裏型枠をセパレータで連結することもできる。
【０００５】
そしてこれらのインサート埋設用の小孔とセパレータを用いる連結方法では、擁壁用ブロックの扶壁の後端面のインサート埋設用小孔にセパレータ先端部のインサートを埋設し、擁壁用ブロックと裏型枠間の控え距離に合わせた鉄棒からなるセパレータを用い、このセパレータの後端に裏型枠を取り付けて擁壁用ブロックと裏型枠を連結するものである。しかしながら、このセパレータは鉄棒でありながら大きな擁壁用ブロックや裏型枠に必ずしも十分に耐えうる剛性を有しておらず、これらの仮組立体を据え付けるために吊り上げたとき、裏型枠がぶらぶらして不安定であり、安全上の問題があった。そこで鉄棒を太くすることが考えられるが、これは重量が増すと共にコスト増の問題があった。さらにセパレータは鉄筋であり簡単には幅切れすることができず、擁壁用ブロックと裏型枠の控えの間隔を現場の事情に合わせて簡単に変更できない問題があった。そのため現場の事情に合わせて種々の長さの鉄筋を予め準備して置かねばならず、一層のコストが掛かる問題があった。
【０００６】
【発明が解決しようとする課題】
本発明が解決しようとする課題は、上記のセパレータがぶらぶらと揺れて不安定で安全上の問題がある点をセパレータの鉄棒を太くすることなく解消して堅固なものとし、さらに擁壁用ブロックと裏型枠の控えの間隔を現場の事情にあわせて適宜の幅に調節可能とすることができ、かつ、省資源と省力化を図ることができる連結方法を提供することである。
【０００７】
【課題を解決するための手段】
上記の課題を解決するための本発明の手段は、請求項１の発明では、擁壁用ブロックと裏型枠間を一定間隔にセパレータにより保持してセパレータ先端部のインサートを擁壁用ブロックのインサート孔に挿入固着し、セパレータ他端を裏型枠に挿着してナットによりねじ締めして連結する方法において、長尺鉄棒を該一定間隔の長さとした剛体パイプに挿通してセパレータとし、該剛体パイプにより擁壁用ブロックと裏型枠間の間隔を規制するとともに長尺鉄棒にテンションを掛けるようにナットにより強くねじ締めして、クレーンで吊り上げ据えつけるための擁壁用ブロックと裏型枠からなる仮組立体を、剛性を持たせて組立てる擁壁用ブロックと裏型枠の連結方法である。
【０００８】
請求項２の発明では、剛体パイプの擁壁用ブロック側の一端は擁壁用ブロックに沿う角度に形成するとともに裏型枠側の他端は裏型枠に沿う角度に形成したことを特徴とする請求項１記載の擁壁用ブロックと裏型枠の連結方法である。
【０００９】
請求項３の発明では、擁壁用ブロックおよび裏型枠と剛体パイプ端間に補強プレートを挿着して連結したことを特徴とする請求項１または２に記載の擁壁用ブロックと裏型枠の連結方法である。
【００１０】
請求項４の発明では、裏型枠の裏面から突出した長尺鉄棒に一端を裏型枠の裏面に沿う角度に形成し他端を長尺鉄棒軸方向に垂直に形成してなる変形ワッシャーを該垂直他端を後方にして外挿し、さらに変形ワッシャー後面よりワッシャーを嵌めナットによりねじ締めすることを特徴とする請求項１〜３のいずれか１項に記載の擁壁用ブロックと裏型枠の連結方法である。
【００１１】
本発明は、上記の手段の一定間隔の長さとした剛体パイプを長尺鉄棒に外嵌してセパレータとすることで、擁壁用ブロックと裏型枠間を所定の間隔に規制するとともに長尺鉄棒にテンションを掛けてナットによりねじ締めし、その結果、セパレータを堅固な剛体として安全に擁壁用ブロックと裏型枠間を固定するものである。すなわち、予めテンションを掛けることでセパレータがぶらぶらと揺動することなく位置決めする作用を果たせるものとした。さらに剛体パイプを擁壁用ブロックと裏型枠間の設計長さに合わせて現場で自在に切断することで、擁壁用ブロックと裏型枠間の厚みを現場で自在に変更しうるものとした。
【００１２】
すなわち剛体パイプを異なる長さとしたものと取り替えるだけで、長尺鉄棒およびその締結用ナットやワッシャーあるいは補強プレートや変形ワッシャーはそのまま変更することなく用いて擁壁用ブロックと裏型枠間の裏込め幅厚みを自在に変更することができる。さらに補強プレートを剛体パイプ端面と裏型枠間に挿着して締結するので剛体パイプの端面と裏型枠の当接部を強力に締めつけても補強プレートで保護されているので当接部が疵つくことなく強力に固定できる。さらに剛体パイプの端部あるいは変形ワッシャーの端部を当接相手面に沿うように斜めに角度を持たせて形成しているので、当接相手とそれらの端部全面で当接でき、擁壁用ブロックと裏型枠からなる仮組立体がより一層に剛体化して堅固に連結されたものとなる。
【００１３】
【発明の実施の形態】
本発明の実施の形態を図面を参照して説明する。図１は本発明の１実施の形態の擁壁用ブロックと裏型枠の仮組立体の側面図である。図２は図１の円で示す部分の拡大図である。図３は仮組立体の裏型枠の裏面側を示す斜視図である。図４は仮組立体の裏型枠の表面側を示す斜視図である。
【００１４】
本発明の１実施の形態に使用する擁壁用ブロック２は、図１に示すように、前壁版３と間隔を開けた後方の後壁版４からなり、その上端には上方に積む擁壁用ブロック２に嵌合するための凸状部５と、下端には下方に積んだ擁壁用ブロック２の突出部２が嵌入される凹状部６が形成され、前壁版３と後壁版４とを結合する控えは上下にありその間は前壁版３と後壁版４に平行な貫通孔７に形成されており、これらの前壁版３と後壁版４の間にはコンクリートが打設されるものである。ところで、この擁壁用ブロック２の後壁版４の後方には裏型枠１１として鋼製パネル１２が現場に対応した適宜間隔で配設され、コンクリート等が打設される。
【００１５】
そこで現場の空き地で擁壁用ブロック２と鋼製パネル１２間の控えの間はセパレータ１９を介在させて一定間隔に保持して仮組立体１に組み立て、この仮組立体１をつり上げて現場の施工位置に設置する。この仮組立体１の組み立ては、擁壁用ブロック２の後壁版４の後面に設けた係止部８に開口したインサート挿入用の小孔のインサート孔９に後端側に雄ねじ２２を有する長尺鉄棒２０の先端部のインサート２１を挿入してセメントで固着する。このように擁壁用ブロック２の後壁版４に固着した長尺鉄棒２０にワッシャー２８を通し、さらに擁壁用ブロック２と鋼製パネル１２の控え長さとした剛体パイプ２３をこの長尺鉄棒２０に外嵌してセパレータ１９とする。この長尺鉄棒２０の他端に剛体パイプ２３の外径よりも十分に大きな径の鋼製の補強プレート２５を挿通した上で、長尺鉄棒２０の他端を裏型枠１１である鋼製パネル１２に設けた挿入孔に挿通する。次いで、鋼製パネル１２から後方に突出した長尺鉄棒２０にプラスチックなどからなる変形ワッシャー２６の角度２７を形成した端部側から外嵌し、次いでワッシャー２８を嵌め、さらにナット２９を雄ねじ２２に螺合して嵌め、ネジ締めして長尺鉄棒２０にテンションを掛けて固定して連結する。以上の方法により擁壁用ブロック２と鋼製パネル１２間をセパレータ１９により連結して仮組立体１となる。
【００１６】
以上に説明した連結方法において、擁壁用ブロック２の後壁版４の裏面に当接する剛体パイプ２３の一端は、擁壁用ブロック２の後壁版４の裏面に沿う角度に形成する。この実施の形態では、擁壁用ブロック２の後壁版４に設けた係止部８の当該部分が長尺鉄棒２０のインサート２１の軸に垂直であるので、上記の剛体パイプ２３の前端の角度はインサート２１の軸に垂直、すなわち直角に切断した形状に形成されている。一方、剛体パイプ２３の後端は裏型枠１１の鋼製パネル１２に沿う角度２４に形成したものとして連結する。さらにこの連結方法においては、裏型枠１１である鋼製パネル１２の裏面から後方に突出した長尺鉄棒２０に、一端を鋼製パネル２０の裏面に沿う角度２７に形成して、他端を長尺鉄棒２０の軸方向に垂直に形成してなる変形ワッシャー２６を該垂直他端を後方にして外挿し、さらに変形ワッシャー２６の後面よりワッシャー２８を嵌めナット２９を雄ねじ２２に螺合してねじ締めする。
【００１７】
以上に説明したように、長尺鉄棒２０と端部に角度２４を形成した剛体パイプ２３からなるセパレータ１９と、鋼製の補強プレート２５と端部に角度２７を形成した変形ワッシャー２６を使用することで、図２に示すように、擁壁用ブロック２と裏型枠１１間のセパレータ１９による連結は、互いに隙なく緊密に当接し、かつ、ナット２９を締めることで剛体パイプ２３の長さに抗して長尺鉄棒２０にテンションを掛けることができるので、擁壁用ブロック２と裏型枠１１間の締結はより少ない材料で剛体化が図れ、すなわち、セパレータ１９による連結はより堅固に緊締されて仮組立体１となる。この場合、剛体パイプ２３の長さは現場において適宜に切断することで変更でき、この剛体パイプ２３の長さを変更するのみで、擁壁用ブロック２と裏型枠１１の間の間隔を適宜に規制するセパレータ１９とし、容易に現場に最適の仮組立体１が形成できる。
【００１８】
【発明の効果】
以上説明したように、本発明の連結方法により、擁壁用ブロックと裏型枠間を長尺鉄棒とその周囲の剛体パイプという組み合わせで予めテンションをセパレータに掛けることができ、単に一本の太い材料を用いるよりも一層に堅固な組立体が得られ、かつ、現場の事情に合わせて、単に剛体パイプの長さを切断により調整するのみで、自在な控え間隔のものが得られ、省力化および省資源化が図れるなど、本発明は従来にない優れた効果を奏するものである。
【図面の簡単な説明】
【図１】  本発明の実施の形態の擁壁用ブロックと裏型枠の仮組立体の側面図である。
【図２】  図１の円で示す部分の拡大図である。
【図３】  仮組立体の裏型枠の裏面側を示す斜視図である。
【図４】  仮組立体の裏型枠の表面側を示す斜視図である。
【符号の説明】
１  仮組立体          ２  擁壁用ブロック
３  前壁版            ４  後壁版
５  接合突出部        ６  接合凹入部
７  開口孔            ８  係止部
９  インサート孔      １０  水抜孔
１１  裏型枠          １２  鋼製パネル
１９  セパレータ      ２０  長尺鉄棒
２１  インサート      ２２  雄ねじ
２３  剛体パイプ      ２４  角度
２５  補強プレート    ２６  変形ワッシャー
２７  角度            ２８  ワッシャー
２９  ナット
【図１】
0003707678.tif 000002
【図２】
0003707678.tif 000003
【図３】
0003707678.tif 000004
【図４】
0003707678.tif 000005